(57)【要約】【課題】横引きで開閉するスクリーンの下端部をガイドするスライドレールを備えた横引きスクリーン装置において、スクリーン枠に対しスクリーンの下端をガイドするスライドレールを含む内部ユニットの組み付けやメンテナンスを容易に行えるようにする。【解決手段】スクリーン枠１に対し、その側枠３に対向する支持部材９と操作框１０との間にスクリーン８を取り付け、操作框の下端に一端を取り付けたスライドレール１２によりスクリーンの下端部をガイドさせる内部ユニット５を、簡単に着脱可能にし、メンテナンスを容易にしたスクリーン装置を提供する。この内部ユニットの取り付けは、上記側枠と支持部材との間にガイド収容空間１６を形成し、該空間にスライドレールを収容しながらスクリーン及び操作框をスクリーン枠に組み付けるため、その作業が容易になる。【選択図】図６
2020051056.tif 000002
【特許請求の範囲】
【請求項１】
建物開口部に設置するためのスクリーン装置の外枠を形成するスクリーン枠と、該スクリーン枠に組み付けて操作框により横引きで開閉自在に形成した展張可能なスクリーン及び該スクリーンの下端部を保持してその展張をガイドするスライドレールを備えた内部ユニットとにより構成された横引きスクリーン装置であって、
上記スクリーン枠には、その上辺の上枠に沿って、上記スクリーンが、該上枠の一端に配設した側枠に対向配置する支持部材と上記操作框との間に、該操作框の横引きで開閉操作可能に張設され、上記側枠に対向させた支持部材は、該側枠に対し着脱自在に係合固定可能にして、それらの間に上記内部ユニットのスライドレールを下部から導出入可能に収容するガイド収容空間を形成させ、
一方、上記スクリーンの下端部を保持してその展張をガイドするスライドレールは、上記スクリーンの下端部を受ける短寸溝形のガイド駒の多数を、隣接する該ガイド駒の連接部を相互に回転可能に連接することにより長溝状に構成し、該スライドレールの一端を前記操作框の下端に連結すると共に、その他端を、上記側枠と上記支持部材との間のガイド収容空間に、その下端から上方に湾曲して挿通可能に形成し、且つ、上記ガイド駒にはその両側部にガイド突子を突設し、上記ガイド収容空間内には該ガイド突子を摺接させて上記ガイド駒を上記ガイド収容空間に所要の経路に沿って導出入させるガイド面を形設し、
上記支持部材におけるガイド面に沿って上記スライドレールを上記ガイド収容空間の内端まで挿入すると共に、該支持部材、スクリーン及び操作框を互いに組み付けた状態の内部ユニットは、それらが建物開口部に組み付けた上記スクリーン枠に装脱可能な大きさに形成されている、
ことを特徴とする横引きスクリーン装置。
【請求項２】
請求項１に記載の横引きスクリーン装置において、
上記スクリーン枠における上記支持部材を当接させる上記側枠と該支持部材とが、それらを相互に当接固定したときに、該側枠と該支持部材との間の空間が上記スライドレールを挿通するための所要の上記ガイド収容空間になるように位置決めする当接面を有するものとして構成されている、
ことを特徴とする横引きスクリーン装置。
【請求項３】
請求項１又は２に記載の横引きスクリーン装置において、
上記操作框の下端面、及び該操作框の下端に連結したスライドレールのガイド駒の下面が前記スクリーンの開閉に伴って摺動する建物開口部の下枠上に、該操作框及びスライドレールのガイド駒の摺動をガイドする薄帯状の下レールを敷設し、上記操作框の下端面及びガイド駒の下面に、該下レールに跨乗して摺動させるための凹溝を設けている、
ことを特徴とする横引きスクリーン装置。
【請求項４】
請求項３に記載の横引きスクリーン装置において、
上記建物開口部の下枠上において、操作框がスクリーンの収納位置から該スクリーンの展張を始める位置までの範囲に敷設している上記下レールを、第１レール部とし、上記第１レール部を越えた部位から上記操作框がスクリーンの展張位置に達するまでの範囲の上記下レールを第２レール部とし、
上記第１レール部は、前記ガイド駒が前記ガイド収容空間のガイド面に沿って移動する範囲を除き、薄帯状のレール本体の側面上部に鈎形係合凸条を突出させて、前記ガイド収容空間からその下方に導出されるガイド駒の下面の両側部に設けられた鈎形突部が上記鈎形係合凸条に係合することにより、その第１レール部上にある操作框及びガイド駒は該第１レール部から離脱することがなく、
一方、上記第２レール部は、薄帯状のレール本体の側面上部に鈎形弱係合凸条を突出させているが、該鈎形弱係合凸条は操作框の下端面における上記鈎形突部に確実に係合する程度の突出量がなく、操作框を係合位置のずれによって第２レール部から離脱可能なものであり、また、該鈎形弱係合凸条は、ガイド駒の多数が連接されている状態ではそれらが第２レール部から離脱し難いが、少数のガイド駒の鈎形突部しか第２レール部に係合していなければ、ガイド駒の進行方向の横ずれによって第２レール部から離脱可能なものとして構成され、
これにより、支持部材、スクリーン及び操作框を互いに組み付けた状態の内部ユニットが建物開口部に組み付けた上記スクリーン枠からの離脱を防止する離脱防止機構が構成されている、
ことを特徴とする横引きスクリーン装置。
【発明の詳細な説明】
【技術分野】
【０００１】
本発明は、横引きで開閉するスクリーンの下端部を保持してガイドするスライドレールを備え、該スライドレールがスクリーンの開閉に応じてスクリーン枠の一方の側枠の下端部からその側枠内に出入りする構成を備えたバリアフリー形のものにおいて、建物開口部に設置するスクリーン枠に対し、内部ユニットの組み付けやそのメンテナンス等のための着脱を容易にした横引きスクリーン装置に関するものである。
【背景技術】
【０００２】
スクリーンを交互に逆方向に折り返すことにより伸展自在とし、それを横引きにより開閉自在にしたスクリーン装置において、該スクリーンの開閉に応じて、該スクリーンの下端部をガイドするスライドレールを、該スクリーンの開閉方向の少なくとも一端側に配設した框材の下端部からその内部に出入りさせることにより、張設状態にある上記スクリーンの下端部に沿って導出入させるようにしたものは、例えば、特許文献１や特許文献２において既に開示されている。このようなスクリーン装置は、スクリーンの収納時に該スライドレールもスクリーンの張設位置から框材内に収納され、それによってスクリーンの収納時に該スクリーン装置の設置位置がバリアフリー化されるという利便性があることからも、各種の建築物において多用されている。
【０００３】
而して、この種のスライドレールを備えたスクリーン装置は、それを建物開口部に容易且つ安価に設置可能にするばかりでなく、そのメンテナンス性を向上させるために各部の構造の簡易化等を図るなどの必要があるが、それ以前に、スクリーン装置の外枠を形成する前記スクリーン枠や、該スクリーン枠内に収める各種の内部ユニットの組み付け、それらのメンテナンス等のための内部ユニットの取り外しも、容易且つ簡易であることが必要であり、しかしながら、必ずしも満足できる構成のものとして提案されていないのが現状である。
【０００４】
特に、上記既知のスクリーン装置においては、建物開口部に直接的に設置するスクリーン枠に対して、該スクリーン枠内に収めるスライドレール等を含む内部ユニットが、スクリーンの開閉動作に伴って相対的に複雑に変位するので、該スライドレールを含む内部ユニットが、各種部品と干渉することなくスクリーンの下端部をガイドするようにし、しかも、該スクリーン装置のメンテナンスのための内部ユニットの取り出しや、それらの組み付けをも簡単且つ容易であるものとして構成することが望まれる。また、そのような構成を採用するに当たって、補助部品等を用いたりしてスクリーン枠の見付寸法の増加をも抑制することが望まれる。
【先行技術文献】
【特許文献】
【０００５】
【特許文献１】特開２００５−２３５７８号公報
【特許文献２】特開２００５−３６５１８号公報
【発明の概要】
【発明が解決しようとする課題】
【０００６】
本発明の技術的課題は、横引きで開閉するスクリーンの下端部を保持してガイドするスライドレールを備えた上述の横引きスクリーン装置において、上記問題点を解決した製品を提供することにあり、更に具体的には、上記横引きスクリーン装置において、建物開口部に固定的に設置されるスクリーン枠に対し、該スクリーン枠内に収めるスライドレール等を含む内部ユニットを、他の部品と干渉することがないような態様で容易に組み付けて安定的に動作させることができ、また、それらのメンテナンスのための解体をも容易に行えるようにした横引きスクリーン装置を提供することにある。
【課題を解決するための手段】
【０００７】
上記課題を解決するため、本発明によれば、建物開口部に設置するためのスクリーン装置の外枠を形成するスクリーン枠と、該スクリーン枠に組み付けて操作框により横引きで開閉自在に形成した展張可能なスクリーン及び該スクリーンの下端部を保持してその展張をガイドするスライドレールを備えた内部ユニットとにより構成された横引きスクリーン装置であって、下記の特徴的構成を備えた横引きスクリーン装置が提供される。
このような構成、特に、本発明に係る横引きスクリーン装置が、スクリーン装置の外枠を形成するスクリーン枠と、該スクリーン枠に組み付けて操作框により横引きで開閉されるスクリーン及び該スクリーンの下端部をガイドするスライドレールを備えた内部ユニットとの２要素を主体として構成されていることが、上記課題の解決のために有効な基本的構成である。
【０００８】
本発明における上記特徴的構成の一つは、まず、上記スクリーン枠に、その上辺の上枠に沿って、上記スクリーンが、該上枠の一端に配設した側枠に対向配置する支持部材と上記操作框との間に、該操作框の横引きで開閉操作可能に張設され、上記側枠に対向させた支持部材は、該側枠に対し着脱自在に係合固定可能にして、それらの間に上記内部ユニットのスライドレールを下部から導出入可能に収容するガイド収容空間を形成させた点にある。
【０００９】
また、本発明における上記スクリーンの下端部を保持してその展張をガイドするスライドレールは、上記スクリーンの下端部を受ける短寸溝形のガイド駒の多数を、隣接する該ガイド駒の連接部を相互に回転可能に連接することにより長溝状に構成しているが、本発明の特徴的構成として、該スライドレールの一端を前記操作框の下端に連結すると共に、その他端を、上記側枠と上記支持部材との間のガイド収容空間に、その下端から上方に湾曲して挿通可能に形成し、且つ、上記ガイド駒にはその両側部にガイド突子を突設し、上記ガイド収容空間内には該ガイド突子を摺接させて上記ガイド駒を上記ガイド収容空間に所要の経路に沿って導出入させるガイド面を形設している。
【００１０】
更に、本発明においては、上記支持部材におけるガイド面に沿って上記スライドレールを上記ガイド収容空間の内端まで挿入すると共に、該支持部材、スクリーン及び操作框を互いに組み付けた状態の内部ユニットは、それらが建物開口部に組み付けた上記スクリーン枠に装脱可能な大きさに形成される。
【００１１】
本発明に係る上記横引きスクリーン装置の好ましい実施形態においては、上記スクリーン枠における上記支持部材を当接させる上記側枠と該支持部材とが、それらを相互に当接固定したときに、該側枠と該支持部材との間の空間が上記スライドレールを挿通するための所要の上記ガイド収容空間になるように位置決めする当接面を有するものとして構成される。
【００１２】
本発明に係る上記横引きスクリーン装置の他の好ましい実施形態においては、上記操作框の下端面、及び該操作框の下端に連結したスライドレールのガイド駒の下面が前記スクリーンの開閉に伴って摺動する建物開口部の下枠上に、該操作框及びスライドレールのガイド駒の摺動をガイドする薄帯状の下レールを敷設し、上記操作框の下端面及びガイド駒の下面に、該下レールに跨乗して摺動させるための凹溝が設けられる。
【００１３】
また、本発明に係る上記横引きスクリーン装置の他の好ましい実施形態においては、上記建物開口部の下枠上において、操作框がスクリーンの収納位置から該スクリーンの展張を始める位置までの範囲に敷設している上記下レールを、第１レール部とし、上記第１レール部を越えた部位から上記操作框がスクリーンの展張位置に達するまでの範囲の上記下レールを第２レール部とし、上記第１レール部は、前記ガイド駒が前記ガイド収容空間のガイド面に沿って移動する範囲を除き、薄帯状のレール本体の側面上部に鈎形係合凸条を突出させて、前記ガイド収容空間からその下方に導出されるガイド駒の下面の両側部に設けられた鈎形突部が上記鈎形係合凸条に係合することにより、その第１レール部上にある操作框及びガイド駒は該第１レール部から離脱することがないものとして構成される。
【００１４】
更に、上記第２レール部は、薄帯状のレール本体の側面上部に鈎形弱係合凸条を突出させているが、該鈎形弱係合凸条は操作框の下端面における上記鈎形突部に確実に係合する程度の突出量がなく、操作框を係合位置のずれによって第２レール部から離脱可能なものであり、また、該鈎形弱係合凸条は、ガイド駒の多数が連接されている状態ではそれらが第２レール部から離脱し難いが、少数のガイド駒の鈎形突部しか第２レール部に係合していなければ、ガイド駒の進行方向の横ずれによって第２レール部から離脱可能なものとして構成され、これにより、支持部材、スクリーン及び操作框を互いに組み付けた状態の内部ユニットが建物開口部に組み付けた上記スクリーン枠からの離脱を防止する離脱防止機構が構成される。
【００１５】
上記構成を有する横引きスクリーン装置を建物開口部に設置するに際しては、予めその横引きスクリーン装置を設置しようとする建物開口部に、該スクリーン装置の外枠を形成するスクリーン枠を取り付けておき、続いて、該上枠の一端に配設した側枠に対向配置する支持部材と上記操作框との間に、該操作框の横引きで開閉操作可能にしたスクリーンが張設され、且つ、該操作框の下端に連結したところの上記スクリーンの下端部の展張をガイドするスライドレールを、そのガイド駒の両側部に突設したガイド突子を上記支持部材に設けたガイド面に摺接させることにより、上記支持部材に対して、スクリーン、操作框及びスライドレール等からなる内部ユニットを組み付け、該内部ユニットを上記スクリーン枠に対する組み付け準備状態に保持させる。
【００１６】
この内部ユニットの組み付け準備状態では、上記内部ユニットが建物開口部に組み付けた上記スクリーン枠に対して装着可能な大きさに形成され、そのため、建物開口部に予め取り付けておいたスクリーン枠に内部ユニットを容易に装着することができる。また、この状態で、上記スクリーン枠内に嵌め込んだ内部ユニットの支持部材を、上記スクリーン枠の上枠の一端に取り付けられている側枠に当接させて固定することにより、上記内部ユニットはスクリーン枠に位置決めして係止固定され、これにより、該支持部材と上記スクリーン枠の側枠との間に、スライドレールを挿通するための所定のガイド収容空間が形成される。
【００１７】
このようにして建物開口部のスクリーン枠に内部ユニットを取り付けると、操作框を操作することにより、該スクリーンの開閉を自由に行うことができる。また、このようにして設置した横引きスクリーン装置に何らかの異状が発生して、メンテナンスの必要が生じたときには、操作框の操作により内部ユニットを一旦前記収納位置に、つまり、内部ユニットの組み付け準備状態に保ち、その状態で、スクリーン枠内に嵌め込んだ内部ユニットの支持部材を上記スクリーン枠の側枠から離脱させたうえで、該内部ユニットの操作框及びスライドレールをスクリーン枠の第２レール部上に位置させると、該操作框及びスライドレールは下レールの第２レール部から容易に離脱可能になっているので、内部ユニットは下レールから容易に離脱することができ、この状態でスライドレールを前記ガイド収容空間から引き出せば、内部ユニットの各部を容易に保守点検、または修理することができる。
【発明の効果】
【００１８】
以上に詳述した本発明の横引きスクリーン装置によれば、横引きで開閉するスクリーンの下端部を保持してガイドするスライドレールを備えた上述の横引きスクリーン装置において、上記問題点を解決した製品を提供することにあり、更に具体的には、上記横引きスクリーン装置において、建物開口部に固定的に設置されるスクリーン枠に対し、該スクリーン枠内に収めるスライドレール等を含む内部ユニットを、他の部品と干渉することがないような態様で容易に組み付けて安定的に動作させることができ、また、それらのメンテナンスのための解体をも容易に行うことができる。
【図面の簡単な説明】
【００１９】
【図１】本発明に係る横引きスクリーン装置の実施例におけるスクリーン収納状態の構成を模式的に示す正面図である。
【図２】同構成を模式的に示す水平断面図である。
【図３】同実施例におけるスクリーンの半展張状態を模式的に示す正面図である。
【図４】図３の状態にあるスクリーン装置の構成を模式的に示す縦断面図である。
【図５】スクリーン枠に対する内部ユニットの組み込み態様を示す模式的説明図である。
【図６】図５に示す態様での内部ユニットの組み込みを完了した状態を示す模式的説明図である。
【図７】（ａ）は、支持部材に対してスライドガイドの組み付けを開始する状態を示す斜視図、（ｂ）は上記組み付けを更に進行させた状態の斜視図である。
【図８】下レールの一部破断斜視図である。
【図９】（ａ）〜（ｄ）は、建物開口部の下辺に設置する下レールとその上を移動する操作框の下端面及びガイド駒の下面の凹溝との係合の態様を示す横断面図で、（ａ）は、下レールの第１レール部と操作框の凹溝との係合関係を、（ｂ）は、同第１レール部とガイド駒の凹溝との係合関係を、（ｃ）は、同第２レール部と操作框の凹溝との係合関係を、（ｄ）は、同第２レール部とガイド駒の凹溝との係合関係を示している。
【発明を実施するための形態】
【００２０】
図１〜図４は、本発明に係る横引きスクリーン装置の実施例の概要を示し、図５及び図６は、そのスクリーン枠１に対する後述の内部ユニット５の装着の過程を示している。
この横引きスクリーン装置は、基本的には、横引きで開閉するスクリーン８の下端部を保持してガイドするスライドレール１２を備えたものであり、図示の実施例においては、図２に示すように、交互に一定幅で逆方向に折り返して伸展自在としたスクリーン８を用いる場合を示しているが、当該スクリーンがこの種の横引きスクリーン装置に適しているのであって、必ずしもそれに限るものではない。
【００２１】
図示の実施例の具体的な構成要素について説明すると、この横引きスクリーン装置は、主たる構成要素として、建物開口部（図示省略）に設置するためのスクリーン装置の外枠を形成するスクリーン枠１と、該スクリーン枠に組み付けて操作框１０により横引きで開閉自在に形成した展張可能な上記スクリーン８及び該スクリーンの下端部を保持してその展張をガイドするスライドレール１２を備えた内部ユニット５との２要素を備えている。
【００２２】
上記スクリーン枠１は、図４に示す下向きの凹溝２ａにより、スクリーン８の一端に取り付けた操作框１０の上端の横移動をガイドすると共に、該スクリーン８の上端を収容可能にした上辺の上枠２と、折り畳みにより収納状態にしたスクリーン８を支持部材９（図２）を介して保持する一方の側枠３と、上記側枠３に対向する位置にあって、展張状態にあるスクリーン８の操作框１０を受ける受け枠４とを備え、図示の実施例では上枠２に対向する下枠を備えていないが、必要に応じてそれを設けることもできるものである。
なお、スクリーン枠１自体に下枠と言えるものがない場合には、スクリーン枠１自体の下部に位置する建物開口部枠が下枠として機能することになり、或いは、後述する下レール２０にその下枠としての機能を持たせることもできる。
【００２３】
一方、上記スクリーン枠１に組み付ける内部ユニット５の一部を構成するところのスクリーンユニット７は、上記上枠２の一端に配設した側枠３に対向配置する支持部材９と、上記操作框１０とを、それらの間に展張可能な上記スクリーン８を両側から挟むように対峙させ、それらの支持部材９及び操作框１０を該スクリーン８の両端と連結することにより、該操作框１０でスクリーン８を横引きで開閉自在に形成したものである。該スクリーンユニット７は、上記操作框１０の下端に連結して上記スクリーン８の下端部に沿って延びると共に、該スクリーンの下端部を保持してその展張をガイドするように配設されるスライドレール１２を備えている。このスライドレール１２は、張設状態にあるスクリーン８の下端部に沿って導出され、該スクリーン８の下端部の風等の外力による揺れを抑止するためにも有効なものである。
【００２４】
上記スライドレール１２は、図１，３，６及び７等に示すように、上記スクリーン８の下端部を受ける短寸溝形のガイド駒１３の多数を、隣接する該ガイド駒の連接部１３ａの上部を相互に回転可能に連接することにより長溝状に構成しているが、この連接部１３ａにおける隣接ガイド駒１３の連結は、該連接部が上に凹に屈曲可能になるように連結すればよく、例えば、図７に示しているように、各ガイド駒１３両側に対設している一対の側壁１３ｂ，１３ｂの上端部に沿って穿設した挿通孔１３ｃに一連の可撓線１５を挿通してそれらを連結すると共に、隣接するガイド駒１３の当接面を該挿通孔１３ｃに直交する当り面にするとか、隣接ガイド駒１３をその側壁上部においてピン等により上記屈曲を可能に連結するなどの構成を採用することができる。
【００２５】
上記ガイド駒１３の連結により構成されたスライドレール１２は、その一端を前記操作框１０の下端に連結すると共に、その他端を、上記ガイド駒１３の屈曲可能な連結によって、上記側枠３と上記支持部材９との間に形成されたガイド収容空間１６に、その下端から上方に湾曲して挿通可能に形成している。このスライドレール１２の移動は、滑らかな移動が望ましく、そのため、図７に示すように、上記ガイド駒１３には、その両側部の側壁１３ｂ，１３ｂの上端にガイド突子１３ｄを突設し、一方、上記支持部材９には、ガイド収容空間１６内において、該ガイド突子１３ｄを摺接させてガイド駒１３を所要の経路に沿って滑らかに導出入させるガイド面１７を形設している。
【００２６】
このようなスライドレール１２の構成は、多数のガイド駒１３のガイド突子１３ｄが多点でガイド面１７に接触することになるため、各ガイド突子１３ｄが均等的な接触力でガイド面１７に接触し、一部のガイド突子１３ｄが強くガイド面１７に接触するようなことがないので、ガイド面に沿うガイド駒１３の移動が円滑化される。
また、上記ガイド面１７を備えている支持部材９は、型材で形成した上部部材１８ａと曲面を持つ成形品で形成した下部部材１８ｂとの接合によって構成しているが、それらを一体的なものとして構成することもできる。
【００２７】
上記スクリーン枠１の側枠３に対向させた支持部材９は、その受け枠４側表面を、前記スクリーン８の一端を固定する固定面にすると同時に、スクリーン８の折り畳み時の収納域とし、一方、該支持部材９の裏面側は、それを上記側枠３に対して係合その他の適宜手段で着脱自在に当接固定可能にして、それらの間に、上記内部ユニット５のスライドレール１２を下部から導出入可能に収容するガイド収容空間１６を形成させている。従って、上記ガイド収容空間１６を形成させるための側枠３と支持部材９との間には、該側枠３に対して支持部材９の位置決めをする当接面を適宜設けると共に、該支持部材９をその位置決め位置に保持させるための当接面３ａ，９ａを設ける必要がある。これにより、上記側枠３と支持部材９との間には、それらを相互に当接固定したときに、それらの間に上記スライドレール１２を挿通するための所要の上記ガイド収容空間１６を形成する位置決めが行われるように構成され、しかも、それらの固定が安定的であると同時に、容易に離脱可能なものになる。
【００２８】
上述のようにして支持部材９におけるガイド面１７に沿って上記スライドレール１２を上記ガイド収容空間１６の内端まで挿入すると同時に、該支持部材９、スクリーン８及び操作框１０を互いに組み付けた状態の内部ユニット５は、それを建物開口部に設置した上記スクリーン枠１内に組み付ける必要があるが、その組み付けは、図５に示すように、内部ユニット５をスクリーン枠１に対して傾斜させた状態として行い得ること、また、スクリーン枠１の上枠２内に、操作框１０の上端をガイドするための下向きの凹溝２ａがあることなどを考慮すれば、上記内部ユニット５が、その状態でスクリーン枠１内に装脱可能な大きさに形成されできることは明らかである。特に、スライドレール１２を支持部材９におけるガイド面１７に沿ってガイド収容空間１６に収容した構成は、内部ユニット５の組み付け時の取り扱いを簡便にするために非常に有効なものである。
【００２９】
また、上記横引きスクリーン装置においては、スライドレール１２がスクリーン８の開閉に応じてスクリーン枠１の側枠３の下端部からその側枠内に出入りするバリアフリー形の構成を備えているため、操作框１０によるスクリーン８の安定的な開閉操作のために、該スクリーンの展張を何らかの手段でガイドしてほぼ一定の経路で開閉する構成を付加することが望まれる。このような構成は、操作框１０の下端面、及び該操作框の下端に連結したスライドレール１２のガイド駒１３の下面が、前記スクリーン８の開閉に伴って摺動する建物開口部の下枠上に、該操作框１０及びスライドレール１２のガイド駒１３の摺動をガイドする敷居と同程度の高さの下レール２０を敷設し（図１や図８参照）、上記操作框１０の下端面及びガイド駒１３の下面に、図９に示すような、該下レール２０に跨乗して摺動させるための凹溝１１，２４を設ければ、必ずしも安定的にスクリーン８のガイドを行えないにしても、或る程度のガイドを行うことができる。
【００３０】
しかしながら、図９を参照して以下に説明するような操作框１０及びガイド駒１３のガイド機構を採用すれば、より安定的に操作框１０の開閉を行うことができる。
図８及び図９（ａ）〜（ｄ）を参照してその構成について具体的に説明すると、先ず、上記建物開口部の下枠上に設置する下レール２０は、操作框１０が、図１に示すスクリーン８の収納位置から該スクリーンの展張を若干始める位置までの範囲に敷設している上記下レールを、以下に説明する第１レール部２１とし、該第１レール部を越えた部位から上記操作框１０がスクリーン８の展張位置に達するまでの範囲の上記下レールを、以下に説明する第２レール部２２とする必要がある。
【００３１】
上記第１レール部２１と第２レール部２２との差異を、操作框及びガイド駒との関連において説明すると、図７及び図８に示すように、側枠３内においては、ガイド駒１３が上部のガイド収容空間１６のガイド面１７に沿って移動する状態から、下レール２０のレール本体２３上に移行する状態にあり、この側枠３内には操作框１０が入らないために、操作框とレール本体との関係を考慮する必要はないが、図１に示すように、操作框１０が側枠３に当接している状態では、図９の（ａ）に示すように、操作框１０の下端の両側部に設けられた鈎形突部１１ａをレール本体２３の側面上部に設けた鈎形係合凸条２１ａに係合させておくのが、操作框の安定保持に有効である。
【００３２】
また、スクリーンの収納位置からの操作框１０の移動により、ガイド収容空間１６のガイド面１７に沿って下方に移動したガイド駒１３が、下レール２０のレール本体２３に跨乗して側枠３内から出る段階では、該ガイド駒１３の下面の両側部に設けた一対の鈎形突部２４ａを、レール本体２３の側面上部に突出させた鈎形係合凸条２１ａの下部に係合させることにより、下レール２０上に導出されたガイド駒１３が第１レール部２１から離脱するのが抑止される。そのため、上記ガイド駒１３が側枠３内においてレール本体２３に跨乗する第１レール部２１の始端部２５を除いて、該第１レール部２１のレール本体２３の側面上部に鈎形係合凸条２１ａを突出させている。
【００３３】
一方、上記第２レール部２２は、レール本体２３の両側面上部に鈎形弱係合凸条２２ａを突出させているが、該鈎形弱係合凸条２２ａは操作框１０の下端面における上記鈎形突部１１ａに確実に係合する程度の突出量がなく、操作框１０を係合位置のずれによって第２レール部から離脱可能なものであり〔図９の（ｃ）参照〕、また、該鈎形弱係合凸条２２ａは、ガイド駒１３の多数が連接されている状態ではそれらが第２レール部２２から離脱し難いが、少数のガイド駒の鈎形突部２４ａしか第２レール部２２に係合していなければ、ガイド駒１３の進行方向の横ずれによって第２レール部２２から離脱可能なものとして構成している〔図９の（ｄ）参照〕。
これにより、支持部材９、スクリーン８及び操作框１０を互いに組み付けた状態の内部ユニット５が建物開口部に組み付けた上記スクリーン枠１からの離脱を防止する離脱防止機構が構成される。
【００３４】
なお、図１及び図３等に示している符号２７は、操作框１０を側枠３に対して平行移動させるために、スクリーン枠１と操作框１０との間に掛け廻した操作框の平行移動用のワイヤーを示している。
【符号の説明】
【００３５】
１    スクリーン枠
２    上枠
３    側枠
５    内部ユニット
８    スクリーン
９    支持部材
９ａ  当接面
１０    操作框
１２    スライドレール
１３    ガイド駒
１３ｄ  ガイド突子
１６    ガイド収容空間
１７    ガイド面
【図１】
2020051056.tif 000003
【図２】
2020051056.tif 000004
【図３】
2020051056.tif 000005
【図４】
2020051056.tif 000006
【図５】
2020051056.tif 000007
【図６】
2020051056.tif 000008
【図７】
2020051056.tif 000009
【図８】
2020051056.tif 000010
【図９】
2020051056.tif 000011